(57)【要約】【課題】複数の転動体を受容するための複数のポケットを有する、転がり軸受用の保持器で、保持器内における、摩擦箇所への潤滑剤の搬送特にグリース潤滑剤から出るオイルの搬送を改良して、保持器表面に沿った潤滑剤搬送を容易にする。【解決手段】プラスチックより製造された保持器１０の表面１６，１８が少なくとも部分的に、転動体１２のためのポケット１４内に達しているか、又はこのポケット１４に隣接する、ポケットに及び軸受の摩擦箇所に潤滑剤を搬送するための構造部２６を備えている。【選択図】図２
2004197942.tif 000002
【特許請求の範囲】
【請求項１】
複数の転動体を受容するための複数のポケットを有する、転がり軸受用の保持器において、
プラスチックより製造された保持器（１０）の表面（１６，１８）が少なくとも部分的に、転動体（１２）のためのポケット（１４）内に達しているか、又はこのポケット（１４）に隣接する、ポケットに及び軸受の摩擦箇所に潤滑剤を搬送するための構造部（２６）を備えていることを特徴とする、転がり軸受用の保持器。
【請求項２】
前記構造部（２６）が、転動体（１２）と接触することによって形成された、ポケット（１４）の表面領域まで達している、請求項１記載の保持器。
【請求項３】
前記構造部が溝（２６）の形状で構成されている、請求項１又は２記載の保持器。
【請求項４】
溝（２６）がほぼＶ字形の横断面を有している、請求項３記載の保持器。
【請求項５】
溝（２６）の縁部が端面側の表面（１６，１８）に向かって丸味を付けられている、請求項３又は４記載の保持器。
【請求項６】
溝（２６）が転動体（１２）に向かって先細りしている、請求項３から５までのいずれか１項記載の保持器。
【請求項７】
溝（２６）が転動体のポケット（１４）内で舌片状に終わっている、請求項３から６までのいずれか１項記載の保持器。
【請求項８】
溝（２６）の端部が保持器（２６）の端面（１６）の領域内で処理され丸味を付けられている、請求項３から７までのいずれか１項記載の保持器。
【請求項９】
保持器の表面（１６，１８）の構造が粗く構成されている、請求項１又は２記載の保持器。
【請求項１０】
保持器（１０）の少なくとも一方の端面（１６，１８）から転動体（１２）用のポケット（１４）への移行部が、転動体の表面に向かって次第に狭くなるギャップ幅が得られるように、構成されている、請求項１から９までのいずれか１項記載の保持器。
【請求項１１】
保持器（１０）の少なくとも１つの端面（１６，１８）から転動体（１２）用のポケット（１４）への移行部が丸味をつけられているか、穿孔されているか又はこれと類似の形式で成形されている、請求項１０記載の保持器。
【発明の詳細な説明】
【技術分野】
【０００１】
本発明は、複数の転動体を受容するための複数のポケットを有する、転がり軸受有利には玉軸受用の保持器に関する。
【背景技術】
【０００２】
このような形式の転がり軸受用の保持器は、例えばドイツ連邦共和国特許公開第１９９５９４９８号明細書により公知である。この公知の明細書には、樽形の転動体を備えた転がり軸受用の保持器について開示されており、この保持器のサイドリング（Ｓｅｉｔｅｎｒｉｎｇ）はウエブによって互いに結合されていて、これらのウエブは軸方向でサイドリングまで延びる潤滑溝を有している。この潤滑剤用の貫流通路を形成する溝は、両側で転動体を受容するポケットまで達する。この場合、転動体を受容するポケットへの貫流通路の移行部に鋭い縁部が生じ、この鋭い縁部が、転動体が内側及び外側の軸受シェルに当接する領域内での軸受の摩擦箇所への潤滑剤の流れを妨げる。このような形式の軸受のために、一般的にはグリース潤滑が行われる。このグリース潤滑は、広範囲のシール手段なしで軸受の基本的な耐用年数のための持続的潤滑を可能にする。このような耐用年数のための前提条件は、グリースから引き渡されるオイルを転動体と軸受シェルとの間の摩擦箇所へ、また転動体と保持器との間に、安定して供給することである。このオイル引き渡しはさらに温度に大きく依存しており、従って特に低い温度においては、転動体のそれぞれの構造形式においてオイル供給は保証されない。この場合、転動体保持器が中心的な役割を担っている。何故ならば転動体保持器が、潤滑剤特に潤滑グリースに含有されるオイルを摩擦箇所に均一に供給するようになっているからである。この場合グリースは、保持器の範囲内の貯蔵部として摩擦箇所に比較的気密に位置しているので、保持器を有利に構成することによって潤滑剤供給が保証される。
【特許文献１】ドイツ連邦共和国特許公開第１９９５９４９８号明細書
【発明の開示】
【発明が解決しようとする課題】
【０００３】
本発明の課題は、保持器内における、摩擦箇所への潤滑剤の搬送特にグリース潤滑剤から出るオイルの搬送を改良して、保持器表面に沿った潤滑剤搬送が容易になるように改善することである。
【課題を解決するための手段】
【０００４】
この課題を解決した本発明によれば、プラスチック有利には熱可塑性プラスチックより製造された保持器の表面が、転動体のためのポケット内に達するか、又はこのポケットに隣接する、ポケットに及び軸受の摩擦箇所に潤滑剤を搬送するための構造部を少なくとも部分的に備えている。
【発明の効果】
【０００５】
このような構成によって一方では、保持器表面から保持器のポケット（従来の保持器構造においては特に熱可塑性材料よりなっている）への縁部状の移行部において潤滑剤の流れが阻止されることは避けられ、さらに転がり軸受と転がり軸受ポケットとの間のギャップに毛細管搬送効果によって連続的な流れが改善される。
【０００６】
前記構造部が、転動体と接触することによって形成された、ポケットの表面領域まで達していれば有利である。このような形式で、潤滑剤特にグリース貯蔵部から出る潤滑油のクリープ（creep：ほふく流）運動に対する妨害を十分に取り除くことができる。保持器表面の構造が溝の形状、有利なほぼＶ字形の横断面を有する溝の形状で構成されていれば、特に有利であることが分かった。潤滑油が溝に入り込むのを容易にするために、溝の縁部は保持器の端面側の表面に向かって丸味を付けられている。このような形式の溝は、特に簡単な形式で、従来の構造形式において容易に発生する、保持器の端面側から転動体ポケットへの移行部におけるクリープ運動に対する妨害作用を克服することができる。溝は有利には舌片状に構成されており、その幅の広い丸味付けされた端部が保持器の端面側の領域内に位置していて、溝は、潤滑剤の流れ方向を固定するために転動体に向かって先細りしていて、そこで小さい幅及び深さを有して転動体の転動領域内で終わっている。
【０００７】
保持器端面からポケットへの移行領域内における潤滑剤の流れを保証することに関連した、溝状の構造に対する有利な選択的実施例によれば、保持器の表面が粗い構造を有している。この粗い構造は、潤滑剤のためのクリープ特性を同様に著しく高め、それによって潤滑剤が摩擦箇所に確実に侵入するようにする。このような形式の構造部も、有利な形式で保持器の端面側の表面から有利には丸味の付けられた縁部を介して、転動体の転動領域まで、保持器のポケット内に達している。
【０００８】
保持器の少なくとも一方の端面から転動体用のポケットへの移行部が、転動体の表面に向かって次第に狭くなるギャップ幅が得られるように、構成されていれば、保持器表面のすべての構造形式において有利である。何故ならばギャップを小さくすることによって、潤滑剤の流れ方向が規定されるからである。このために有利には、保持器の少なくとも１つの端面から転動体用のポケットへの移行部が丸味をつけられているか、穿孔されているか又はこれと類似の形式で成形されている。
【０００９】
本発明のその他の詳細及び有利な実施態様は、本発明の実施例の説明に記載されている。
【発明を実施するための最良の形態】
【００１０】
図１には、従来技術による転がり軸受用の保持器が示されている。破線で示した球１２は、複数設けられているポケット１４のうちの１つの中に概略的に示されている。保持器１０は、その端面側の外側面１６及び端面側の内側面１８が、図示していない内側の軸受シェルと外側の軸受シェルとの間で支えられており、これらの内側の軸受シェル及び外側の軸受シェルに沿って球１２が転動するようになっている。また図１には切欠２０が示されており、この切欠は主に、オイルを供給する潤滑用グリースのリザーバとして用いられる。潤滑用グリースは、保持器１０に沿ってすべての自由空間内に存在している。しかしながら潤滑剤として純粋なオイルを使用してもよい。本発明の課題は、外側の縁部２２及び内側の縁部２２の領域内並びに退出縁部及び侵入縁部２４の領域内での、保持器１０の表面１６，１８からポケット１４の表面への移行部の変化よって、軸受の改善された潤滑剤供給が得られるようにするということである。
【００１１】
図２には、図１の区分ＩＩの拡大図が示されている。しかしながら本発明によれば、このような保持器１０の構成において、その外側面１６及び有利には図２に示されていない内側表面１８は、少なくとも、端面側の外側面及び内側面１６，１８から球１２を受容するためのポケット１４への移行部の領域内で、軸受の摩擦位置への潤滑剤の搬送を改善する構造部を備えている。これらの構造部は、斜線のハッチングで示されている、ほぼＶ字形の横断面を有していて、ポケット１４に向かって先細りしており、このポケット１４内で舌片状に終わっている。溝２６の縁部は、端面側の面１６，１８に向かって丸味を付けられている。この場合、重要なことは、溝２６の舌片状の端部（尖端状の端部）２８が、球１２が舌片状の端部２８の出口ゾーンでこの端部２８に接触する、ポケット１４の領域内で終わっている、ということである。このような形式で潤滑剤（一般的に潤滑グリースより生ぜしめられるオイル）は、溝２６から直接、球１２とポケット１４の表面との間の潤滑剤ギャップ内に達し、ここで潤滑剤は毛細管現象に基づいて受容される。それによって球とポケットとの間に潤滑膜が形成され、この潤滑膜が球と保持器との摩擦及び摩耗を減少させる。保持器の端面側の表面１６及び１８の領域内で、溝２６は処理され、その端部及び縁部は丸味を付けられ、それによって潤滑油を容易に受容することができ、十分な量の潤滑油が保証される。溝幅が減少されたことによって、ポケット１４に向かって毛細管の連続が形成される。図２には個別の溝２６だけが示されている。しかしながらこれらの溝２６は、有利には端面側の表面１６，１８からポケット１４への移行部に沿って一様に配置されている。
【００１２】
端面側の表面１６，１８からポケット１４への移行部の領域内の溝状の構造部に対して選択的に、少なくともこの表面領域内に十分な粗さを設けてもよい。必要なことはライン３０まで縁部に丸味が付けられていて、それによってオイルが粗い表面を介して球の接触ゾーンまで流れることができる、ということである。粗い表面は、表面上でオイルが伝播する傾向を高めるので、このような構造部によってポケット１４内に、及び球１２と図示していない軸受シェルとの間の摩擦箇所に十分な潤滑剤が確実に供給される。この表面粗さは、図２に表面１６の斜線のハッチングによって概略的に示されている。
【００１３】
本発明の保持器１０の別の特に有利な構成によれば、保持器の端面側の表面１６，１８から球１２のためのポケットへの移行部が、転動体表面に向かってギャップ幅が次第に減少するように構成されている。このようなポケット１４に向かって次第に減少するギャップ幅は、縁部２２が図２で湾曲したハッチングで示されているように丸味を付けられていることによって得られる。この丸味は、ライン３０までポケット１４内に達し、ポケット１４から、潤滑油がさらに毛細管現象に従って確実に搬送されるようにするために、ポケット１４の表面と球１２の表面との間のギャップが十分に狭くなっている。
【００１４】
図３には、図２の区分ＩＩＩの拡大図が示されている。図３では、溝２６及び、端面側の外側面１６からポケット１４の表面への丸味の付けられた移行部の形状の詳細が示されている。溝２６の形状は、全体的に舌片状であって、この場合、溝２６の丸味の付けられた幅の広い端部３２は、端面側の外側面１６の領域内に位置していて、これに対して尖端状に延びる端部２８は、球１２がポケット１４内で狭い潤滑剤ギャップを形成しながら保持されている、ポケット１４の領域まで達している。このような構成によって、幅の広い丸味の付けられた端部３２の領域内で十分な潤滑剤流入が保証され、尖端状の端部２８における毛細管の吸込み作用によって潤滑剤流が保証される。溝２６のＶ字状の構造は、特に中央の領域において斜線のハッチングによって、両端部２８，３２まで扁平に延びていることが分かる。
【００１５】
別の改良された潤滑剤流入は、縁部２４がポケット１４の開口に沿って潤滑剤収容部として用いられる切欠２０に向かって丸味を付けられていることによって、保証される。この領域の丸味部によって同様に、球１２の表面に対して狭められたギャップが得られ、このギャップが鋭い縁部状の端部に対して、潤滑剤の流れを著しく軽減する。
【００１６】
本発明の転がり軸受用の保持器１０の構成によれば、球１２と図示していない軸受シェルとの間の摩擦箇所に常に供給すること、並びに球１２と保持器１０との間に潤滑剤を供給することも保証される。
【００１７】
転がり軸受保持器の以上のような変化実施例によって、全体的に潤滑剤供給を著しく改善し、かつ転動体と軸受走行軌道との間の摩擦箇所の安定した潤滑が、危険な運転条件においても得られる。これによって全体的に軸受の運転時間が長くなり、早期の故障は希にしか発生することはなく、潤滑が不足することによる冷間時雑音も十分に避けられる。保持器をプラスチックより製造した場合、保持器表面の提案された構造は、射出成形型の形状によって処理することができる。例えば浸食によって処理することができ、この場合、溝の形状を得ることもでき、また択一的に表面粗さを高めることもできる。所望の構造を生ぜしめるためにレーザ処理によって後から表面を形成することも、困難なく可能である。
【図面の簡単な説明】
【００１８】
【図１】従来技術による玉軸受用の保持器の構造を示す斜視図である。
【図２】本発明による転動体ポケットへの移行部の領域（図２の符号ＩＩで示した箇所）の保持器の表面の構造を示す部分的な斜視図である。
【図３】図２の符号ＩＩＩで示した箇所の拡大図である。
【符号の説明】
【００１９】
１０  保持器、  １２  球、  １４  ポケット、  １６  端面側の外側面、  １８  端面側の内側面、  ２０  切欠、  ２２  縁部、  ２４  退出縁部及び侵入縁部、２６  溝、  ２８  舌片状の端部、尖端状の端部、  ３０  ライン、  ３２  丸味のつけられた幅の広い端部
【図１】
2004197942.tif 000003
【図２】
2004197942.tif 000004
【図３】
2004197942.tif 000005